(57)【特許請求の範囲】
【請求項１】
励起光の照射により発光する発光画像が形成された記録媒体を供給する供給手段と、
この供給手段により供給された記録媒体を搬送する第１の搬送手段と、
この第１の搬送手段によって搬送される前記記録媒体にその発光画像の発光強度を低下させる塗布剤を塗布する塗布手段と、
この塗付手段により塗付剤が塗付された記録媒体上の画像の発光強度を測定する測定手段と、
この測定手段により測定される前記画像の発光強度が所望の強度以下になるまで、前記塗布手段と前記測定手段に前記記録媒体を繰り返し搬送する第２の搬送手段と、
を具備することを特徴とする画像処理装置。
【請求項２】
文字情報及び励起光の照射により発光する発光画像が形成された記録媒体を供給する供給手段と、
この供給手段により供給された記録媒体を搬送する第１の搬送手段と、
この第１の搬送手段によって搬送される前記記録媒体にその発光画像の発光強度を低下させる塗布剤を塗布する塗布手段と、
この塗布手段により塗布剤が塗付された記録媒体上の発光画像の発光強度を測定する測定手段と、
この測定手段により測定された前記画像の発光強度が所望の強度以下になるまで、前記塗布手段と測定手段に前記記録媒体を繰り返し搬送する第２の搬送手段と、
前記測定手段の記録媒体搬送方向下流側に設けられ、前記記録媒体に形成された文字情報を読み取る読取手段と、
この読取手段の読取情報に基づいて励起光の照射により発光する発光画像を記録する記録手段と、
を具備することを特徴とする画像処理装置。
【請求項３】
文字情報が記録された記録媒体を供給する供給手段と、
この供給手段により供給された記録媒体を搬送する第１の搬送手段と、
この第１の搬送手段によって搬送される記録媒体に記録された文字情報を読み取る第１の読取手段と、
この第１の読取手段によって読み取られた情報に基づいて励起光の照射により発光する発光画像を記録する記録手段と、
この記録手段により記録された発光画像の情報を読み取る第２の読取手段と、
前記第１及び第２の読取手段により読み取られた情報を比較し、その読取情報が一致しているか否かを判定する判定手段と、
この判定手段により読取情報が一致していると判別されたときは前記記録媒体の搬送方向を第１の方向、読取情報が不一致であると判別されたときは第２の方向に切替える切換手段と、
この切換手段により第１の方向に切替えられた記録媒体を排出させる第１の排出手段と、
前記切換手段により第２の方向に切替えられた記録媒体を搬送する第２の搬送手段と、
この第２の搬送手段により搬送されてくる前記記録媒体に発光画像の発光強度を低下させる塗布剤を塗布する塗布手段と、
この塗布手段により塗布剤が塗布された発光画像の発光強度を測定する測定手段と、
この測定手段により測定される発光画像の発光強度が所望の強度以下になるまで、前記塗布手段と測定手段に記録媒体を繰り返し搬送する第３の搬送手段と、
この第３の搬送手段によって搬送される記録媒体の発光画像の発光強度が所望の強度以下になったとき該記録媒体を排出する第２の排出手段と、
を具備することを特徴とする画像処理装置。
【請求項４】
文字情報が記録された記録媒体を供給する供給手段と、
この供給手段により供給された記録媒体を搬送する第１の搬送手段と、
この第１の搬送手段によって搬送される記録媒体に記録された文字情報を読み取る第１の読取手段と、
この読取手段によって読み取られた情報に基づいて励起光の照射により発光する発光画像を記録する記録手段と、
この記録手段により記録された発光画像の情報を読み取る第２の読取手段と、
前記第１及び第２の読取手段により読み取られた情報を比較し、その読取情報が一致しているか否かを判定する判定手段と、
この判定手段により読取情報が一致していると判別されたときは前記記録媒体の搬送方向を第１の方向、読取情報が不一致であると判別されたときは第２の方向に切替える切換手段と、
この切換手段により第１の方向に切替えられた記録媒体を排出させる排出手段と、
前記切換手段により第２の方向に切替えられた記録媒体を搬送する第２の搬送手段と、
この第２の搬送手段により搬送されてくる前記記録媒体に発光画像の発光強度を低下させる塗布剤を塗布する塗布手段と、
この塗布手段により塗布剤が塗布された発光画像の発光強度を測定する測定手段と、
この測定手段により測定される発光画像の発光強度が所望の強度以下になるまで、前記塗布手段と測定手段に記録媒体を繰り返し搬送する第３の搬送手段と、
この第３の搬送手段により搬送される記録媒体の発光画像の発光強度が所望の強度以下になったとき該記録媒体を前記第１の読取手段に搬送する第４の搬送手段と、
を具備することを特徴とする画像処理装置。
【請求項５】
前記塗布手段はインクジェット記録ヘッドであることを特徴とする請求項１乃至４の何れか一項に記載の画像処理装置。
【請求項６】
励起光の照射により発光する発光画像が形成された記録媒体を供給する供給工程と、
この供給工程により供給された記録媒体を搬送する第１の搬送工程と、
この第１の搬送工程によって搬送される前記記録媒体にその発光画像の発光強度を低下させる塗布剤を塗布する塗布工程と、
この塗付工程により塗付剤が塗付された記録媒体上の画像の発光強度を測定する測定工程と、
この測定工程により測定される前記画像の発光強度が所望の強度以下になるまで、前記塗布工程と前記測定工程に前記記録媒体を繰り返し搬送する第２の搬送工程と、
を具備することを特徴とする画像処理方法。
【発明の詳細な説明】
【０００１】
【発明の属する技術分野】
本発明は例えば、郵便物区分装置に用いられ、紫外線照射により可視光線を発光する蛍光インクで記録された宛名コードを消去する画像処理装置及び画像処理方法に関する。
【０００２】
【従来の技術】
一般に、郵便物区分装置では郵便物に記載された宛名を光学的に読み取り、この読み取った画像に対して文字認識を行なって宛名を認識し、この認識した宛名に基づいて当該郵便物の配達先を区分するようになっている。
【０００３】
また、これら読み取った宛名を区分して宛名コードを付与し、この宛名コードを機械コードに変換して郵便物に印字することが可能となっている。
【０００４】
郵便物の区分を複数回行なう場合、最初の区分段階で宛名コードを郵便物に印字しておけば、それ以後の区分段階で宛名コードのみの読み取りでの区分処理が可能となる。
【０００５】
従って、宛名コードを用いる方法によれば、最初の区分段階以外では処理コストの高い光学的文字認識装置を用いて宛名の読み取りを行なう必要がなく処理が簡略化される。
【０００６】
ところで、既存の文字認識技術では郵便物に記載された宛名を１００％正しく認識するのは困難である。このため郵便物に記載された宛名に対して間違った認識結果を得ることがあり、その結果記載された宛名に対応しない間違った宛名コードが印字される可能性がある。
【０００７】
このような文字認識の誤りは現在の技術レベルでは回避できないものであり、間違った宛名コードが印字された郵便物は間違った配達局へと送られ、その配達段階で宛名コードが間違っていることが判明する。この場合には当該郵便物を正しい配達局へ再送する必要がある。
【０００８】
また、住所変更があった旧の宛名への郵便物が宛てられていた場合、その郵便物の宛名の住所変更が判明した時点で変更後の宛名へ転送する必要がある。住所変更先がわからなかった場合には、その郵便物の差出人に返送する必要がある。
【０００９】
このような住所認識の誤り、または住所変更等により郵便物を転送する場合には、先に印字されていた宛名コードを消去し、新たな宛名コードを付与する必要性が出てくる。
【００１０】
【発明が解決しようとする課題】
しかしながら、従来においては、宛名コードを消去する場合には、作業員の手によって消去していたため、宛名コードを消去すべき郵便物の枚数が多くなると、大変な手間がかかるという問題があった。
【００１１】
また、宛名コードを消去した郵便物に新たに宛名コードを印字する場合には、作業員の手により再びコード印字装置に投入しなければならず、面倒なものとなっていた。
【００１２】
本発明は上記実情に鑑みなされたもので、消去すべき宛名コードを自動的に確実に消去でき、また、新たな宛名コードを自動的に記録できるようにした画像処理装置を提供することを目的とする。
【００１４】
【課題を解決するための手段】
上記課題を解決するため、請求項１記載のものは、励起光の照射により発光する発光画像が形成された記録媒体を供給する供給手段と、この供給手段により供給された記録媒体を搬送する第１の搬送手段と、この第１の搬送手段によって搬送される前記記録媒体にその発光画像の発光強度を低下させる塗布剤を塗布する塗布手段と、この塗付手段により塗付剤が塗付された記録媒体上の画像の発光強度を測定する測定手段と、この測定手段により測定される前記画像の発光強度が所望の強度以下になるまで、前記塗布手段と前記測定手段に前記記録媒体を繰り返し搬送する第２の搬送手段とを具備する。
【００１５】
請求項２記載のものは、文字情報及び励起光の照射により発光する発光画像が形成された記録媒体を供給する供給手段と、この供給手段により供給された記録媒体を搬送する第１の搬送手段と、この第１の搬送手段によって搬送される前記記録媒体にその発光画像の発光強度を低下させる塗布剤を塗布する塗布手段と、この塗布手段により塗布剤が塗付された記録媒体上の発光画像の発光強度を測定する測定手段と、この測定手段により測定された前記画像の発光強度が所望の強度以下になるまで、前記塗布手段と測定手段に前記記録媒体を繰り返し搬送する第２の搬送手段と、前記測定手段の記録媒体搬送方向下流側に設けられ、前記記録媒体に形成された文字情報を読み取る読取手段と、この読取手段の読取情報に基づいて励起光の照射により発光する発光画像を記録する記録手段とを具備する。
【００１６】
請求項３記載のものは、文字情報が記録された記録媒体を供給する供給手段と、この供給手段により供給された記録媒体を搬送する第１の搬送手段と、この第１の搬送手段によって搬送される記録媒体に記録された文字情報を読み取る第１の読取手段と、この第１の読取手段によって読み取られた情報に基づいて励起光の照射により発光する発光画像を記録する記録手段と、この記録手段により記録された発光画像の情報を読み取る第２の読取手段と、前記第１及び第２の読取手段により読み取られた情報を比較し、その読取情報が一致しているか否かを判定する判定手段と、この判定手段により読取情報が一致していると判別されたときは前記記録媒体の搬送方向を第１の方向、読取情報が不一致であると判別されたときは第２の方向に切替える切換手段と、この切換手段により第１の方向に切替えられた記録媒体を排出させる第１の排出手段と、前記切換手段により第２の方向に切替えられた記録媒体を搬送する第２の搬送手段と、この第２の搬送手段により搬送されてくる前記記録媒体に発光画像の発光強度を低下させる塗布剤を塗布する塗布手段と、この塗布手段により塗布剤が塗布された発光画像の発光強度を測定する測定手段と、この測定手段により測定される発光画像の発光強度が所望の強度以下になるまで、前記塗布手段と測定手段に記録媒体を繰り返し搬送する第３の搬送手段と、この第３の搬送手段によって搬送される記録媒体の発光画像の発光強度が所望の強度以下になったとき該記録媒体を排出する第２の排出手段とを具備する。
【００１７】
請求項４記載のものは、文字情報が記録された記録媒体を供給する供給手段と、この供給手段により供給された記録媒体を搬送する第１の搬送手段と、この第１の搬送手段によって搬送される記録媒体に記録された文字情報を読み取る第１の読取手段と、この読取手段によって読み取られた情報に基づいて励起光の照射により発光する発光画像を記録する記録手段と、この記録手段により記録された発光画像の情報を読み取る第２の読取手段と、前記第１及び第２の読取手段により読み取られた情報を比較し、その読取情報が一致しているか否かを判定する判定手段と、この判定手段により読取情報が一致していると判別されたときは前記記録媒体の搬送方向を第１の方向、読取情報が不一致であると判別されたときは第２の方向に切替える切換手段と、この切換手段により第１の方向に切替えられた記録媒体を排出させる排出手段と、前記切換手段により第２の方向に切替えられた記録媒体を搬送する第２の搬送手段と、この第２の搬送手段により搬送されてくる前記記録媒体に発光画像の発光強度を低下させる塗布剤を塗布する塗布手段と、この塗布手段により塗布剤が塗布された発光画像の発光強度を測定する測定手段と、この測定手段により測定される発光画像の発光強度が所望の強度以下になるまで、前記塗布手段と測定手段に記録媒体を繰り返し搬送する第３の搬送手段と、この第３の搬送手段により搬送される記録媒体の発光画像の発光強度が所望の強度以下になったとき該記録媒体を前記第１の読取手段に搬送する第４の搬送手段とを具備する。
請求項６記載のものは、励起光の照射により発光する発光画像が形成された記録媒体を供給する供給工程と、この供給工程により供給された記録媒体を搬送する第１の搬送工程と、この第１の搬送工程によって搬送される前記記録媒体にその発光画像の発光強度を低下させる塗布剤を塗布する塗布工程と、この塗付工程により塗付剤が塗付された記録媒体上の画像の発光強度を測定する測定工程と、この測定工程により測定される前記画像の発光強度が所望の強度以下になるまで、前記塗布工程と前記測定工程に前記記録媒体を繰り返し搬送する第２の搬送工程とを具備する。
【００１８】
【発明の実施の形態】
以下、本発明を図面に示す実施形態を参照して説明する。
【００１９】
図１は本発明の第１の実施の形態である画像処理装置を示すものである。
【００２０】
図中１は記録媒体２を収納する給紙トレー１で、記録媒体２には紫外線照射により可視光を発光する発光画像としてのバーコードが印字されている。給紙トレー１には記録媒体２を取出す供給手段としての給紙ローラ３が設けられ、取出された記録媒体２は第１の搬送手段を構成する搬送ローラ２１…の回転により搬送路Ｈに沿って搬送される。
【００２１】
搬送路Ｈ中には記録媒体２の搬送方向に沿って消去手段としての塗布手段４、測定手段としての測定センサ５、塗布ゲート６、排紙ゲート７、排紙ローラ９及び排紙トレー１０が配設されている。また、塗布手段４、測定センサ５に対向して第２の搬送手段としての搬送ループ８が設けられている。
【００２２】
塗布手段４は記録媒体２に塗布剤としての消去インクを塗布するもので、消去インクは記録媒体２の画像記録画全体に塗布しても良いし、バーコードが記録されている部位だけでも良い。しかし、消去インクの使用量を考慮すると、記録されている部位だけに塗布するのが望ましい。ここでは、消去インクはエタノールなどの溶剤に紫外線吸収剤、樹脂剤、増白剤などを分散したものが用いられている。また、消去インクとしては記録媒体２に記録された可視情報が消えないように可視光下で無色透明なものが望ましい。
【００２３】
測定センサ５は記録媒体２の蛍光バーコードの発光輝度Ｌを測定するものである。測定センサ５には比較回路２２が接続され、測定センサ５により測定された発光輝度Ｌは比較回路２２へと転送され、輝度スレッショルドεと比較されるようになっている。ここで、輝度スレッショルドεはバーコードを読み取るためのリーダの処理方法によっても異なるが、この実施形態では発光輝度レベルを２５６段階に分割したとき、１２８を輝度スレッショルドεの値とした。
【００２４】
塗布ゲート６及び排紙ゲート７は発光輝度Ｌの大小により開閉されて記録媒体２の送り方向を可変するものである。即ち、発光輝度Ｌが輝度スレッショルドεよりも大きい場合には、塗布ゲート６がクローズされて排紙ゲート７がオープンされる。これにより、記録媒体２は搬送ループ８を経由して再び塗布手段４へと給紙される。この動作は発光輝度Ｌがスレッショルドεより小さくなるまで繰り返し実行される。また、発光輝度Ｌがスレッショルドεよりも小さくなった場合には、塗布ゲート６がオープンされて排紙ゲート７がクローズされる。これにより、記録媒体２は排出方向へ送り出される。
【００２５】
排紙ローラ９は記録媒体２を排紙トレー１０に向けて搬送するもので、排紙トレー１０は排紙ローラ９から搬出される記録媒体２を受けて集積するものである。
【００２６】
図２は消去インクの塗布手段４を示すものである。
【００２７】
この塗布手段４としてはインクジェット式、或は霧吹き式の噴射ヘッド４ａがが用いられている。この噴射ヘッド４ａは消去インク１１をオンデマンドに塗布することができ、複雑な消去インク供給機構を必要としない。また、消去インクが空気に触れる部分が少ないため、消去インク１１の蒸発による消耗が少なく、塗布に必要な分だけ消去インクを噴射ヘッド４ａに供給すれば良い。従って、消去インク１１の無駄遣いを最小限に抑えることができる利点がある。
【００２８】
図３は塗布手段の第１の変形例を示すものである。
【００２９】
この塗布手段としては消去ローラ４ｂが用いられている。
【００３０】
図４は塗布手段の第２の変形例を示すものである。
【００３１】
この塗布手段としては刷毛体４ｃが用いられている。
【００３２】
図３の消去ローラ４ｂ及び図４の刷毛体４ｃは図２の噴射ヘッド４ａの構造に比べて、消去インク１１の供給し過ぎを防ぐための多少複雑な消去インク供給機構が必要となる。また、消去インクが空気に触れる部分が多くなるため、消去インクの蒸発による消耗が多くなり、多少消耗インクの無駄遣いが多くなる欠点がある。しかし、図２の噴射ヘッド４ａの構造に比べると、駆動ＩＣなどを取り付ける必要がなく、装置を安価なものにできる利点がある。さらに、構造的に破損することが非常に希で寿命が長いため、塗布手段だけを見ればメンテナンスフリーを実現することができる利点もある。
【００３３】
なお、塗布手段４はここで示したものに限られることなく、消去インク１１を記録媒体２に塗布できる構造であればどんな構造であっても良い。
【００３４】
次に、記録媒体２に記録されている蛍光バーコードの消去動作について図５のフローチャート図を参照して説明する。
【００３５】
給紙トレー１に収納された記録媒体２は給紙ローラ３の回転により給紙され（ステップ１）、塗布手段４に向けて搬送される。搬送された記録媒体２は塗布手段４の下を通過することにより消去インク１１が塗布される（ステップ２）。消去インクが塗布された記録媒体２は測定センサ５に向けて搬送され、記録媒体２が測定センサ５の下を通過することにより測定センサ５により蛍光バーコードの発光輝度Ｌが測定される（ステップ３）。測定センサ５により測定された発光輝度Ｌは比較回路２２へと転送され、輝度スレッショルドεよりも大きいか否かが比較判別される（ステップ４）。発光輝度Ｌが輝度スレッショルドεよりも大きい場合には、塗布ゲート６がクローズされて（ステップ５）、排紙ゲート７がオープンされる（ステップ６）。これにより、記録媒体２は搬送ループ８を経由して再び塗布手段４へと給紙され、発光輝度Ｌがスレッショルドεより小さくなるまで上記動作が繰り返し実行される。
【００３６】
一方、発光輝度Ｌがスレッショルドεよりも小さい場合には、塗布ゲート６がオープンされて（ステップ７）、排紙ゲート７がクローズされる（ステップ８）。これにより、記録媒体２は排紙トレー１０に向けて搬送され、排紙ローラ９を介して排紙トレー１０へと排紙される（ステップ９）。
【００３７】
以後、順次同様の動作が継続されて給紙トレー１にある記録媒体２が次々に給紙しされて消去インク１１が塗布されていく。
【００３８】
上記したように、この実施の形態によれば、記録媒体２を給紙トレー１に入れるだけで、誤記録された蛍光バーコードを自動的に効率よく確実に消去することができる。
【００３９】
図６は本発明の第２の実施の形態である画像処理装置を示す構成図で、図７はその処理動作を示すフローチャート図である。
【００４０】
図６に於いて、給紙トレー１に入れられた記録媒体２には紫外線照射により可視光を発光するバーコードと、可視インクやボールペンなどによる文字情報、詳しくは郵便物の郵便番号や住所等が印字されている。蛍光バーコードは文字情報（郵便番号や住所）を機械語に変換したコードになっている。
【００４１】
そして、この第２の実施の形態では搬送路Ｈ中に記録媒体の郵便番号及び住所などの可視文字情報を読み取りコード情報に変換する読取手段としてのＯＣＲ１２及びＯＣＲ１２により変換されたコード情報に応じて蛍光バーコードを記録媒体２に印字する記録手段としてのバーコード印字部１３が付加され、この点で上記した第１の実施の形態と異なる。
【００４２】
また、この実施形態ではバーコード印字部１３としてインクジェット記録方式詳しくは連続噴射型のインクジェット記録方式のものを用いた。バーコード印字部１３としてはインクジェット記録に限らず、熱転写記録方式やドットインパクトプリント方式など、蛍光バーコードを記録できる手段であれば良い。
【００４３】
次に、画像処理動作について図７のフローチャートを参照して説明する。
【００４４】
記録媒体２は給紙ローラ３により給紙され（ステップ１）、塗布手段４に向けて搬送される。搬送された記録媒体２は塗布手段４の下を通過することにより、消去インクが塗布される（ステップ２）。消去インクが塗布された記録媒体２は測定センサ５に向けて搬送され、測定センサ５の下を通過する間に測定センサ５により蛍光バーコードの発光輝度Ｌが測定される（ステップ３）。測定センサ５により測定された発光輝度Ｌは比較回路２２へと転送され、輝度スレッショルドεと比較判別される（ステップ４）。発光輝度Ｌが輝度スレッショルドεよりも大い場合には塗布ゲート６がクローズされて（ステップ５）、排紙ゲート７がオープンされる（ステップ６）。これにより、記録媒体２は搬送ループ８を経由して再び塗布手段４へと給紙され、発光輝度Ｌがスレッショルドεより小さくなるまで上記動作が繰り返し実行される。
【００４５】
発光輝度Ｌがスレッショルドεよりも小さくなった場合、塗布ゲート６がオープンされて（ステップ７）、排紙ゲート７がクローズされる（ステップ８）。これにより、記録媒体２はＯＣＲ１２に搬送される。ＯＣＲ１２では郵便物の郵便番号及び住所などの可視文字情報が読み取られ（ステップ９）、郵便番号はそのままコード情報に変換され、住所については機械語に変換した後コード情報に変換される。このコード情報はバーコード印字部１３へと送られ、記録媒体２がバーコード印字手段１３の下を通過することにより、コード情報に応じて蛍光バーコードが記録媒体に印字される（ステップ１０）。蛍光バーコードが印字された記録媒体２は排紙トレー１０に向けて搬送されたのち、排紙ローラ９を介して排紙トレー１０へと排紙される（ステップ１１）。このように１枚の記録媒体２が排紙されると、給紙トレー１にある記録媒体２が次々に給紙されて上記したと同様に消去インク１１が塗布されてバーコードが印字される。
【００４６】
この実施の形態によれば、記録媒体２を給紙トレー１に入れるだけで、誤記録された蛍光バーコードを効率よく自動で確実に消去することができ、また、可視文字情報を新たにコード情報化して蛍光バーコードとして記録媒体２に記録することができる。
【００４７】
図８は本発明の第３の実施の形態を示す構成図で、図９及び図１０はその画像処理動作を示すフローチャート図である。
【００４８】
図８に於いて、給紙トレー１に入れられた記録媒体２には可視インクやボールペンなどによる文字情報、詳しくは郵便物の郵便番号や住所などが印字されている。
【００４９】
この実施の形態においては、給紙トレー１から取出された記録媒体２は搬送路Ｈに沿って搬送され、この搬送路Ｈ中には記録媒体２の搬送方向に亘って読取手段としてのＯＣＲ１２、記録手段としてのバーコード印字部１３、バーコードの発光量を測定する測定センサ１４、記録媒体２の搬送方向を第１及び第２の方向に選択的に切替える切換え手段としての塗布ゲート１５、及び記録媒体２を第１の排出手段としての排出トレー１０に排出する排出ローラ９が配設されている。
【００５０】
ＯＣＲ１２には送信回路を介してバーコード印字部１３とコード情報の正誤判別回路２５が接続されている。測定センサ１４には送信回路を介してコード情報変換回路２６が接続されている。
【００５１】
コード情報変換回路２６は測定センサ１４の測定情報を解析してコード情報に変換して正誤判別回路２５に送信するものである。正誤判別回路２５はＯＣＲ１２から送信されるコード情報とコード情報変換回路２６から送信されるコード情報を比較し、これらコード情報が一致するか否かを判別するものである。
【００５２】
塗布ゲート１５はコード情報の一致、不一致により記録媒体２の搬送方向を第１及び第２の方向に切替えるものである。塗布ゲート１５により第１の方向に切替えられた記録媒体２は排出方向に搬送され、第２の方向に切替えられた記録媒体２は搬送ローラ２１ｂ…からなる第２の搬送手段により搬送される。
【００５３】
第２の搬送手段によって搬送される記録媒体２は第３の搬送手段としての
搬送ループ８を経由して、塗布手段４に向けて搬送される。塗布手段４は上記第１の実施の形態で示しものと同様であるのでその説明を省略する。塗布手段４で蛍光バーコードが消去された記録媒体２は排紙ゲート１６がクローズされることにより第２の排出手段としての排紙トレー１７に排紙されるようになっている。
【００５４】
次に、画像処理動作について図９及び図１０のフローチャートを参照して説明する。
【００５５】
記録媒体２は給紙ローラ３の回転により給紙されて搬送され（ステップ１）、ＯＣＲ１２によりその郵便番号及び住所などの可視文字情報が読み取られ、郵便番号はそのままコード情報に変換され、住所については機械語に変換した後コード情報に変換される（ステップ２）。この変換されたコード情報はバーコード印字部１３とコード情報の正誤判別回路２５へと送られる。記録媒体２がバーコード印字部１３の下を通過すると、バーコード印字部１３によりコード情報に応じて蛍光バーコードが印字される（ステップ３）。しかるのち、記録媒体２は測定センサ１４へ送られ、測定センサ１４によりその蛍光バーコードの発光量が測定される（ステップ４）。この測定情報はコード情報変換回路２６に送信されて解析されコード情報に変換される。このコード情報変換回路２６で解析されたコード情報データはコード情報正誤判定回路２５へと送られる。コード情報正誤判定回路２５では先に送られたＯＣＲ１２によるコード情報と記録媒体２に印字された蛍光バーコードから解析したコード情報との比較を行なう（ステップ５）。
【００５６】
この比較により二つのコード情報が不一致の場合には塗布ゲート１５がオープンされ（ステップ６）、ついで、排紙ゲート１６がクローズされる（ステップ７）。これにより、記録媒体２は搬送ループ８を経由して塗布手段４に向けて搬送され、塗布手段４で消去インク１１が塗布され（ステップ８）、ついで、測定センサ５により発光量が測定され（ステップ９）、発光輝度Ｌがスレッショルドεよりも小さいか否かが判別される（ステップ１０）。そして、発光輝度Ｌがスレッショルドεよりも小さければ、排紙ゲート１６がクローズされ（ステップ１１）、蛍光バーコードが消去された記録媒体２が排紙トレー１７に排紙される（ステップ１２）。
【００５７】
一方、上記した図５に示すステップ５において、二つのコード情報が一致した場合には、塗布ゲート１５がクローズされ（ステップ１３）、記録媒体２は排紙トレー１０に向けて搬送されたのち、排紙ローラ９を介して排紙トレー１０へと排紙される（ステップ１４）。
【００５８】
以後、順次同様にして記録媒体２が給紙されて蛍光バーコードの印字、及びコード情報が誤っていた場合にはその消去が繰り返される。
【００５９】
この実施形態によれば、記録媒体２に記録されている文字情報に応じたコード情報を蛍光バーコードとして印字でき、さらに印字した蛍光バーコードのコード情報の正誤を判別して、誤って印字された蛍光バーコードを効率よく、自動で、確実に消去することができる。
【００６０】
さらに、２つの排紙トレー１０，１７を備え、排紙トレー１０には正しくコード情報が印字された記録媒体２を排出し、排紙トレー１７には蛍光バーコードが消去された記録媒体２を排出するため、正しくコード情報が印字された記録媒体２と、蛍光バーコードが消去された記録媒体２とを自動的に区分することができ、後処理が簡単になる。
【００６１】
図１１は本発明の第４の実施の形態である画像処理装置を示す構成図で、図１２及び図１３はその画像処理動作を示すフローチャート図である。
【００６２】
この実施の形態は、上記した第３の実施形態とほぼ同じ動作をするので、共通する部分の詳細な説明は省き、異なっている部分についてのみ説明を行なう。
【００６３】
文字情報が記録された記録媒体２は給紙ローラ３により給紙されて搬送され（ステップ１）、ＯＣＲ１２で文字情報が読み取られ（ステップ２）、ついで、バーコード印字部１３で発光バーコードが印字され、しかるのち、測定センサ１４でバーコード情報が読み取られる（ステップ４）。こののち、コード情報正誤判別回路２５でＯＣＲ１２によるコード情報と記録媒体２に印字された蛍光バーコードから解析したコード情報との比較が行なわれる（ステップ５）。
【００６４】
上記二つのコード情報が不一致の場合、塗布ゲート１５がオープンされ（ステップ６）、ついで、給紙ゲート１８がオープンされる（図１３に示すステップ７）。記録媒体２は搬送ループ８を経由して塗布手段４に向けて搬送されて消去インク１１が塗布され（ステップ８）。ついで、測定センサ５によりコードの発光強度が測定され（ステップ９）、発光輝度Ｌがスレッショルドεよりも小さいか否かが判別され（ステップ１０）、発光輝度Ｌがスレッショルドεよりも小さくなるまで消去インクを記録媒体２に塗布する。発光輝度Ｌがスレッショルドεよりも小さくなると、給紙ゲート１８がクローズされ（ステップ１１）、バーコード印字手段１３へと再び搬送される（ステップ１２）。バーコード印字手段１３へと搬送された記録媒体２は、図示しないメモリに格納されていたコード情報に応じた蛍光バーコードが印字され（図１２に示すステップ３）、再び測定センサ１４へと搬送されてバーコードの発光強度が測定され（ステップ４）、コード情報正誤判別回路２５でコード情報の比較が行なわれる（ステップ５）。
【００６５】
コード情報が一致した場合には、塗布ゲート１５がクローズされ（ステップ１３）、記録媒体２は排紙トレー１０に向けて搬送されたのち、排紙ローラ９を介して排紙トレー１０へと排紙される。
【００６６】
以後、順次同様にして記録媒体２を給紙してＯＣＲ情報に応じた蛍光バーコードを印字し、そのコード情報の正誤判定を行い、コード情報が誤っていた場合には、蛍光バーコードを消去インクにより消去して再び、ＯＣＲ情報に応じた蛍光バーコードを印字することを繰り返す。
【００６７】
この実施の形態によれば、記録媒体２に記録されている文字情報に応じたコード情報を蛍光バーコードとして印字でき、さらに印字した蛍光バーコードの正誤を判別して印字した蛍光バーコードが誤記録された場合には効率よく、自動で、確実に消去することができ、さらに、新たな蛍光バーコードを再び印字することができるため、記録媒体２の画像処理効率を大幅に向上できる。
【００６８】
なお、上記した実施の形態では、紫外線照射で励起した際に可視光を発光する画像を例として説明したが、励起光は紫外線でなくても良く、また紫外線照射で励起した際に赤外線を発光する画像等にも利用可能である。
【００６９】
その他、本発明はその要旨の範囲内で種々変形実施可能なことは勿論である。
【００７０】
【発明の効果】
本発明は以上説明したように、励起光の照射により発光する発光画像が形成された記録媒体を供給する供給手段と、この供給手段により供給された記録媒体を搬送する搬送手段と、この搬送手段によって搬送される前記記録媒体の発光画像を消去する消去手段とを備えるから、従来のように人手によることなく、記録媒体を供給手段にセットするだけで誤記録された発光画像を自動的に効率よく消去できる。
【００７１】
また、測定手段により測定される画像の発光強度が所望の強度以下になるまで、塗布手段と測定手段に記録媒体を繰り返し搬送するから、誤記録された発光画像をより一層確実に消去できる。
【００７２】
また、測定手段の記録媒体搬送方向の下流側には記録媒体に記録された文字情報を読み取る読取手段及びその読取情報に基づいて発光画像を記録する記録手段を備えるから、発光画像の消去後に、記録媒体に対し新たな発光画像を自動的に記録することができ、画像処理効率を向上できる。
【００７３】
さらに、記録媒体に記録された文字情報を読み取る読取手段、この読取手段により読み取られた読取情報に基づいて発光画像を記録する記録手段、この記録手段により記録された発光画像データと前記読取手段により読み取られた画像データとが一致するか否かを判別する判別手段を備え、画像データが一致しなければ、塗布手段に搬送して発光画像に塗布剤を塗布するから、記録手段で誤記録された発光画像を即座に消去できる。従って、誤記録された発光画像を基にして記録媒体を区分処理してしまうといったことがなく、後処理効率を向上できる。
【００７４】
また、画像データが一致した記録媒体は第１の排出手段に排出し、画像データが一致しないで発光画像が消去された記録媒体は第２の排出手段に排出するため、発光画像が正しく記録された記録媒体と発光画像が誤って記録されて消去された記録媒体とを自動的に区分することができ、後処理が簡単になる。
【００７５】
また、記録媒体に記録された文字情報を読み取る読取手段、この読取手段により読み取られた読取情報に基づいて発光画像を記録する記録手段、この記録手段により記録された発光画像データと前記読取手段により読み取られた画像データとが一致するか否かを判別する判別手段を備え、画像データが一致しなければ、塗布手段に搬送して発光画像に塗布剤を塗布して記録手段で誤記録された発光画像消去し、この発光画像が消去された記録媒体を再度、読取手段に搬送してその文字画像を読み取り、この読取情報に基づいて記録手段により再度、新たに発光画像を記録するから、人手によることなく自動的に新たな発光画像をより一層確実に記録でき処理効率を向上できる。
【図面の簡単な説明】
【図１】本発明の一実施の形態である画像処理装置を示す構成図。
【図２】消去インクの塗布部を示す図。
【図３】消去インクの塗布部の第１の変形例を示す図。
【図４】消去インクの塗布部の第２の変形例を示す図。
【図５】画像処理動作を示すフローチャート図。
【図６】本発明の第２の実施の形態である画像処理装置を示す構成図。
【図７】画像処理動作を示すフローチャート図。
【図８】本発明の第３の実施の形態である画像処理装置を示す構成図。
【図９】画像処理動作を示すフローチャート図。
【図１０】画像処理動作を示すフローチャート図。
【図１１】本発明の第４の実施の形態である画像処理装置を示す構成図。
【図１２】画像処理動作を示すフローチャート図。
【図１３】画像処理動作を示すフローチャート図。
【符号の説明】
１…給紙トレー
２…記録媒体
３…給紙ローラ（供給手段）
４…塗布手段（消去手段）
５…測定センサ（測定手段）
６…塗布ゲート
７…排紙ゲート
８…搬送ループ（搬送手段）
９…排紙ローラ
１０…排紙トレー（第１の排出手段）
１１…消去インク（塗布剤）
１２…ＯＣＲ（読取手段）
１３…バーコード印字手段（記録手段）
１４…センサ（読取手段）
１５…塗布ゲート
１６…排紙ゲート
１７…排紙トレー（第２の排出手段）
１８…給紙ゲート
２１…搬送ローラ（搬送手段）
【図１】
0003792957.tif 000002
【図２】
0003792957.tif 000003
【図３】
0003792957.tif 000004
【図４】
0003792957.tif 000005
【図５】
0003792957.tif 000006
【図６】
0003792957.tif 000007
【図７】
0003792957.tif 000008
【図８】
0003792957.tif 000009
【図９】
0003792957.tif 000010
【図１０】
0003792957.tif 000011
【図１１】
0003792957.tif 000012
【図１２】
0003792957.tif 000013
【図１３】
0003792957.tif 000014